(57)【要約】【課題】  着用中における着用者の膝の曲げ伸ばしや歩行を妨げることがなく、また、長期間使用しても着用後に復元不可能な皺の発生が生じ難い放射線防護衣を提供すること。【解決手段】  放射線遮蔽能を有するシート材又は積層材により、（ｉ）少なくとも肩部と、着用者の胸部及び腹部から膝辺りまでを覆う前掛部と、袖ぐりから前記前掛部の膝辺りまで至る側部とからなる前身頃、及び（ｉｉ）少なくとも肩部と、袖ぐりから着用者の脇腹部に至る側部と、前記肩部と連なる背当部とからなる後身頃、とを連接一体に形成してなる放射線防護衣であって、前記前掛部における着用者の腰部近傍の左右両端それぞれに内側に湾曲する湾曲部、又は内側に向かって切込まれた切欠部を設けて、前記腰部近傍の前掛部の横幅を、該部分近傍に隣接する上下部分よりも狭くする。【選択図】  図３
0003123658.tif 000002
【実用新案登録請求の範囲】
【請求項１】
放射線遮蔽能を有する放射線遮蔽材により、
（ｉ）少なくとも肩部と、着用者の胸部及び腹部から膝辺りまでを覆う前掛部と、袖ぐりから前記前掛部の膝辺りまで至る側部とからなる前身頃と、
（ｉｉ）少なくとも肩部と、袖ぐりから着用者の脇腹部に至る側部と、前記肩部と連なる背当部とからなる後身頃、
とを連接一体に形成してなる放射線防護衣であって、前記前掛部における着用者の腰部近傍の左右両端それぞれに内側に湾曲する湾曲部、又は内側に向かって切込まれた切欠部を設けることによって、前記着用者の腰部近傍における前記前掛部の横幅を、前記腰部近傍に隣接する上下部分の横幅よりも狭くしたことを特徴とする放射線防護衣。
【請求項２】
前記前身頃又は前記後身頃における、着用者の腰部近傍の左右両方又は左右いずれか一方の側に、着用者に固定するためのベルトが取り付けられていることを特徴とする請求項１に記載の放射線防護衣。
【請求項３】
前記ベルトが左右いずれか一方の側のみに取り付けられていることを特徴とする請求項２に記載の放射線防護衣。
【請求項４】
前記ベルトの少なくとも一部に、張力に応じて伸縮し得る可撓性の素材からなる伸縮部が設けられていることを特徴とする請求項２又は３に記載の放射線防護衣。
【請求項５】
前記可撓性の素材がゴム又はゴムとポリエステル繊維からなることを特徴とする請求項４に記載の放射線防護衣。
【請求項６】
前記ベルトの少なくとも一部分が前記放射線遮蔽能を有する放射線遮蔽材からなり、前記ベルトを着用者に固定した際に、該ベルトの放射線遮蔽材からなる部分が前記前掛部の湾曲部又は切欠部を覆うようにしたことを特徴とする請求項１〜５に記載の放射線防護衣。
【請求項７】
前記ベルトの表又は裏側面の一部分、及び前記ベルトが取り付けられている場所とほぼ同じ高さの前記前掛部の表面のそれぞれの少なくとも一部に、該ベルトを着脱可能に固定するための係止手段が設けられていることを特徴とする請求項１〜６のいずれか１項に記載の放射線防護衣。
【考案の詳細な説明】
【技術分野】
【０００１】
本考案は医療分野におけるＸ線撮影時の技術者や、原子力発電所等での炉内作業、理工学分野におけるアイソトープ取扱い作業等、放射線被曝を受ける可能性のある場所での作業者を、Ｘ線、低エネルギーのγ線、β線等の放射線から保護するために使用される放射線防護衣に関する。
【背景技術】
【０００２】
放射線防護衣は鉛、鉛化合物、タングステン、スズ等の重金属を主材とする放射線遮蔽シート、またはその積層体の表面に合成樹脂、繊維、ゴム、又はこれらの複合体からなるシートを被覆した放射線遮蔽材（以下、放射線防護材ともいう）の裁断片を所定の形状に縫製して、エプロン、コート、スカート、マント等の身体用衣としたものである。
【０００３】
図７は従来のエプロンタイプの放射線防護衣の一例を後からみた斜視図を例示するものである。本例の放射線防護衣１０１は、放射線遮蔽能を有する放射線遮蔽材からなる前身頃１０２、肩部１０６、及び後身頃１０３を縫製するなどして連接してエプロンタイプの身体用衣に形成するとともに、後身頃１０３の両側部における着用者の腰部近傍にそれぞれベルト１１０,１１０を取り付けてなる。着用者は襟ぐり１０８から頭部（顔部分）を挿通し、また、左右の袖ぐり１０９,１０９からは両腕を挿通した後、左右のベルト１１０,１１０を背面において結ぶか、着用者の背部（腰部付近）で交差させてそれぞれの先端部を着用者の胴まわりに巻くようにしながら前面（前身頃１０２）側の係止手段１１１により放射線防護衣１０１を着用者の腰部近傍に固定させるようになっている。
【０００４】
ところで、例えば特許文献１、２等にも開示されているように、図７に例示の放射線防護衣をはじめ、特にエプロンタイプやコートタイプの従来の放射線防護衣では、放射線遮蔽能をもたせるため、防護衣の素材として鉛や鉛化合物を熱可塑性樹脂と混合したシート又はその積層体などを用いて、肩部を含め前身頃と後身頃とを一体に形成してあるため防護衣自体が重く、また柔軟性に乏しい。そのため、着用者が歩行時に膝を前側に曲げた際に放射線防護衣の前身頃、特に着用者の腰から膝を覆う部分全体が柔軟性のない前身頃で覆われた形となり、着用者の歩行を妨げる弊害があった。また、長期間使用していると、図８に示すように特に前身頃１０２の着用者の腰から膝を覆う部分において着用中に生じた皺１２０がそのまま残り、型くずれを起こして外観上好ましくないところからその改善が望まれていた。
【０００５】
【特許文献１】実開平１−１０２８９８号公報
【特許文献２】実開昭６３−１７２９９９号公報
【考案の開示】
【考案が解決しようとする課題】
【０００６】
本考案は前記の点に鑑みてなされたものであり、着用中における着用者の膝の曲げ伸ばしや歩行を容易にし、また、長期間使用しても着用後に復元不可能な皺の発生が生じ難い放射線防護衣を提供することを課題とする。
【課題を解決するための手段】
【０００７】
本考案者等は下記の構成を採用することによって上記課題の解決を可能にした。
（１）放射線遮蔽能を有する放射線遮蔽材により、（ｉ）少なくとも肩部と、着用者の胸部及び腹部から膝辺りまでを覆う前掛部と、袖ぐりから前記前掛部の膝辺りまで至る側部とからなる前身頃と、（ｉｉ）少なくとも肩部と、袖ぐりから着用者の脇腹部に至る側部と、前記肩部と連なる背当部とからなる後身頃、とを連接一体に形成してなる放射線防護衣であって、前記前掛部における着用者の腰部近傍の左右両端それぞれに内側に湾曲する湾曲部、又は内側に向かって切込まれた切欠部を設けることによって、前記着用者の腰部近傍における前記前掛部の横幅を、前記腰部近傍に隣接する上下部分の横幅よりも狭くしたことを特徴とする放射線防護衣。
【０００８】
（２）前記前身頃又は前記後身頃における、着用者の腰部近傍の左右両方又は左右いずれか一方の側に、着用者に固定するためのベルトが取り付けられていることを特徴とする前記（１）に記載の放射線防護衣。
【０００９】
（３）前記ベルトが左右いずれか一方の側のみに取り付けられていることを特徴とする前記（２）に記載の放射線防護衣。
【００１０】
（４）前記ベルトの少なくとも一部に、張力に応じて伸縮し得る可撓性の素材からなる伸縮部が設けられていることを特徴とする前記（２）又は（３）に記載の放射線防護衣。
【００１１】
（５）前記可撓性の素材がゴム又はゴムとポリエステル繊維からなることを特徴とする前記（４）に記載の放射線防護衣。
【００１２】
（６）前記ベルトの少なくとも一部分が前記放射線遮蔽能を有する放射線遮蔽材からなり、前記ベルトを着用者に固定した際に、該ベルトの放射線遮蔽材からなる部分が前記前掛部の湾曲部又は切欠部を覆うようにしたことを特徴とする前記（１）〜（５）のいずれかに記載の放射線防護衣。
【００１３】
（７）前記ベルトの表又は裏側面の一部分、及び前記ベルトが取り付けられている場所とほぼ同じ高さの前記前掛部の表面のそれぞれの少なくとも一部に、該ベルトを着脱可能に固定するための係止手段が設けられていることを特徴とする前記（１）〜（６）のいずれかに記載の放射線防護衣。
【考案の効果】
【００１４】
本考案の放射線防護衣は、前身頃の一部である前掛部において、着用者の腰部近傍の左右両端のそれぞれに内側に向けて湾曲させた湾曲部または切欠部を設け、着用者の腰部近傍における前掛部の横幅をこの部分に隣接する上下部分の横幅よりも狭くしたものである。
このように、放射線防護衣の前掛部の湾曲部又は切欠部があることにより、これを着用して歩行すると膝を前掛部の内側から押し上げた際に、左右の湾曲部または切欠部を結ぶ線上を中心に、定常的に折れ曲がりやすい箇所ができ、前掛部が緩やかに上下に折れ曲がり易くなることによって、着用者の膝にかかる負担が軽減され、着用時の歩行を妨げることがない。また、長期間使用しても前掛部の腰部から膝部分に現れる修復しにくい皺の発生を抑制することができる。
【考案を実施するための最良の形態】
【００１５】
以下、実施例により図面を用いて本考案を説明する。
図１は本考案に係る放射線防護衣の一実施例を例示する正面側の斜視図であり、図２は背面側の斜視図である。本考案の放射線防護衣は、放射線遮蔽能を有する放射線遮蔽材からなる、（ｉ）少なくとも左右両肩部６,６と、着用者の胸部及び腹部から膝辺りまでを覆う前掛部４と、左右両袖ぐり９,９から前掛部４の前記膝辺りまで至る左右両側部５ａ,５ａとからなる前身頃２、及び（ｉｉ）少なくとも左右両肩部６,６と、左右両袖ぐり９,９から着用者の脇腹部に至る左右両側部５ｂ,５ｂと、係止手段である面ファスナー１２,１２を介して開閉自在に設けられた左右の背当部７,７とからなる後身頃３を連接一体に形成してなり、かつ、前身頃２または後身頃３における左右の側部（５ａ,５ｂ）それぞれに、前掛部４を着用者に固定するためのベルト１０,１０を設ける。さらに、前掛部４における着用者の腰部近傍には、その左右両端のそれぞれに、内側に湾曲する湾曲部１４,１４を設けることによって着用者の腰部近傍における前掛部４の横幅Ｗｎを、この部分に隣接する上下部分の横幅Ｗｂ、Ｗｃよりも狭くしてなる。
ベルト１０の表又は裏側面の一部分、及びベルト１０の取り付け位置とほぼ同一高さの前掛部４の表面のそれぞれ少なくとも一部には、係止手段としての面ファスナー１１が取り付けられている。
【００１６】
後身頃３における左右両肩部６,６から連なる背部には、それぞれ背当部７,７が接合されており、一方の背当部７（本例では右側の背当部７）の裏面ともう一方の背当部７（本例では左側の肩当部７）の表面にそれぞれ係止手段である面ファスナー１２を取り付けることによって、左右背当部７,７は肩部６,６とともに左右に開閉自在となっていて、この面ファスナー１２,１２を介して着脱が可能となっている。
【００１７】
なお、本例では後身頃３の両肩部６,６に、面ファスナー１２（係止手段）が設けられた背当部７,７をそれぞれ別々に接合させておき、面ファスナー１２を介して両肩部６,６と接合する両背当部７,７を開閉自在とすることによって、襟ぐり８の一部を解放して装着脱するようにした例を示したが、左右両肩部６,６と両背当部７,７とを一体に形成しておき、肩部６,６と背当部７,７の端部の一部と前身頃２の上端部分とによって襟ぐり８を形成し、装脱着時にはこの襟ぐり８を介して着用者の頭部（顔部分）を挿通するようにすることもできる。
【００１８】
本例（図１、２に例示）の放射線防護衣を着用するに際しては、背当部７,７の面ファスナー１２を解放して袖ぐり９,９から腕を挿通するとともに、襟ぐり８から頭部（顔部分）を挿通し、背面において背当部７,７の面ファスナー１２で係止させた後、後身頃３の両側部５ｂ,５ｂに取り付けられたベルト１０,１０を着用者の背面側から胴部又は腰部の周面に沿って前面の前身頃２側に回し、前掛部４表面の面ファスナー１１により着用者に固定する。
【００１９】
本例の放射線防護衣では、従来の放射線防護衣と同様に、防護衣を着用者の体に固定し、着用者に防護衣の重量感を軽減させ、フィット感を高めるために取り付けられているベルトが布、皮革、合成樹脂製シートなど、張力に対して伸縮性が小さい素材で作製される。
しかしながら、ベルト１０の少なくとも一部分に、張力に対して伸縮機能をもった可撓性の素材からなる伸縮部を設けておくことにより、前掛部４に固定されているベルトの作業中における経時的な緩みが防止でき、着用者に放射線防護衣とのフィット感を与え、該防護衣の重量感を軽減させる効果が経時的に薄れてくるという弊害を取り除くことができるのでより好ましい。
【００２０】
前記の伸縮部はベルト１０の一部分に設けても、また、ベルト全体を張力によって伸縮性を有する可撓性の素材で作製してもよい。このような伸縮部を形成する素材としては、ゴム又はゴムの糸とポリエステル繊維等の合成繊維からなる織ゴム等が用いられる。
【００２１】
図３及び図４は本考案の他の実施例を示す放射線防護衣を例示するもので、図３は正面側斜視図であり、図４は背面側斜視図である。なお、図３及び図４において図１及び図２に例示の放射線防護衣と同一部分は図１及び図２と同じ符号で示した。
本例の放射線防護衣は、図１、２に例示の放射線防護衣のように前掛部４における着用者の腰部近傍の左右両端に湾曲部１４,１４を設ける代わりに、それぞれ内側に向かってコの字状に切込まれた切込部１５,１５を設けることによって、着用者の腰部近傍における前掛部４の横幅Ｗｎを、この部分に隣接する上下部分の横幅Ｗｂ、Ｗｃよりも狭くしてなる点と、ベルト１０の一部分に放射線防護材を素材とする放射線遮蔽部２０を設けてなる点以外は図１、２に例示の放射線防護衣と同様の構成を有する。
【００２２】
図５（ａ）は本例(図３、４に例示)の放射線防護衣を着用して、両脇に設けられたベルト１０,１０を背後で交差させてそれぞれ反対側の腰側部に沿って前面に回し、その先端部分に設けられている面ファスナー（係止手段）１１を、前掛部４における着用者の腰部近傍の表面に設けた面ファスナー（係止手段）１１と重ねて係止させた状態（着用してベルト１０を面ファスナー１１で固定した状態）を示す放射線防護衣の正面側斜視図であり、図５（ｂ）は図５（ａ）のＴ−Ｔ線における横断面の拡大図である。
【００２３】
本例の放射線防護衣は、ベルト１０,１０の一部分に放射線遮蔽材を素材とする放射線遮蔽部２０を設けておき、ベルト１０,１０の取り付け位置とベルト１０,１０における放射線遮蔽部２０,２０の場所とを予め調整しておくことによって、放射線防護衣を着用してベルト１０,１０を前掛部４に固定したとき、ベルト１０,１０における放射線遮蔽部２０,２０が切欠部１５,１５をそれぞれ覆い得るようになっている。
着用者の放射線被曝をより少なくするためには、前掛部４の面積はできるだけ広くすることが望ましく、切欠部等を設けない方が望ましいが、このように着用した際に切欠部１５,１５の上が放射線遮蔽能を有するベルトで覆われるようにしておくことにより、着用者の歩行のし易さ等の作業性の改善に加えて、放射線防護機能をも維持することができるのでより好ましい。
【００２４】
図６は本考案の放射線防護衣の更に別の実施例を例示する正面斜視図である。なお、図６においても図１及び図２に例示の放射線防護衣と同一機能を有する部分は図１及び図２と同じ符号で示した。本考案の放射線防護衣は、前掛部４における着用者の腰部近傍の左右両端に、図１、２に例示の放射線防護衣のように湾曲部１４,１４を設ける代わりに、それぞれ内側に向かってＶ字状に切込まれた切込部１６,１６を設けることによって、着用者の腰部近傍における前掛部４の横幅を、この腰部近傍の部分に隣接する上下部分の横幅よりも狭くした点が本例の構成上の特徴の１つであり、さらに、ベルト１０は左右側部の中の片側（本例では左側側部）のみに設けられている点と、ベルト１０の一部分には張力に対して伸縮機能を持った可撓性の素材からなる伸縮部１３が設けられている点が構成上の別の特徴の１つであり、それ以外の構成は図１、２に例示した放射線防護衣と同様の構成を有する。
【００２５】
本例の放射線防護衣のように、ベルト１０を片側だけに設けておくことによって着用者が放射線防護衣の着脱、特にベルトの着脱操作を片手で行うことができるため、作業中、片手がふさがっている場合でも放射線防護衣の着脱操作を行うことができる利便性がある。また、ベルト１０の一部に伸縮部１３が設けられていることにより、前掛部４に固定されているベルト１０の作業中における経時的な緩みが防止でき、着用者に放射線防護衣とのフィット感をより与え、該防護衣の重量感を軽減させる効果が薄れてくることがない。
【００２６】
本考案の放射線防護衣に用いられる放射線遮蔽材としては、放射線遮蔽機能を有する、従来と同様の例えば、鉛粉又は亜鉛化鉛、一酸化鉛、二酸化鉛、三酸化四鉛、四酸化二鉛、四酸化三鉛、塩基性珪酸塩、沃化鉛等の鉛化合物、更にまたタングステン、スズからなる重金属等をポリ塩化ビニル、塩化ビニル−アクリル酸エステル共重合体、ナイロン、ポリエステル、ポリ酢酸ビニル等の熱可塑性樹脂やウレタンゴム、未加硫ブチルゴム、スチレンブタジエンゴム等と混合し、必要に応じてさらに可塑材を添加した混合物をシート化してなる放射線遮蔽シート、またはその積層体で構成される。この放射線遮蔽シート、またはその積層体の表面には、物理的強度を増すために熱可塑性樹脂フィルムをラミネートしておいてもよい。
【００２７】
前記の放射線防護材は、通常はその両表面を天然繊維やポリエステル、ナイロン等の合成樹脂繊維を用いた織布、不織布或いはそれらをポリエチレン、ポリ酢酸ビニル、エチレン−酢酸ビニル共重合体やエラストマー等で表面加工したもの、又はゴム等からなるシートで被覆したものを所望の形状に裁断し、縫製することによって製造される。
また、放射線防護衣は、着用者の発汗による蒸れを緩和するため、前掛部４や背当部７,７等の裏側面（着用者と直接接する面）に、メッシュ状素材等の通気性を有する裏地材で被覆してもよい。
【図面の簡単な説明】
【００２８】
【図１】本考案の放射線防護衣の一実施例を例示する正面側（前身頃）の斜視図である。
【図２】図１に例示の放射線防護衣の背面側（後身頃）の斜視図である。
【図３】本考案の放射線防護衣の他の実施例を例示する正面側（前身頃）の斜視図である。
【図４】図３に例示の放射線防護衣の背面側（後身頃）の斜視図である。
【図５】図３に例示の本考案の放射線防護衣の装着状態を示す正面側（前身頃）の斜視図（ａ）及び一部断面図（ｂ）である。
【図６】本考案の放射線防護衣のさらに別の実施例を例示する正面側（前身頃）の斜視図である。
【図７】従来の放射線防護衣を例示する背面側の斜視図である。
【図８】従来の放射線防護衣を着用した状態を例示する正面側の斜視図である。
【符号の説明】
【００２９】
２、１０２                前身頃
３、１０３                後身頃
４                        前掛部
５ａ、５ｂ                側部
６、１０６                肩部
７                        背当部
８、１０８                襟ぐり
９、１０９                袖ぐり
１０、１１０              ベルト
１２０                    皺
１１、１２                面ファスナー（係止手段）
１３                      伸縮部
１４                      湾曲部
１５、１６                切欠部
２０                      放射線遮蔽部
【図１】
0003123658.tif 000003
【図２】
0003123658.tif 000004
【図３】
0003123658.tif 000005
【図４】
0003123658.tif 000006
【図５】
0003123658.tif 000007
【図６】
0003123658.tif 000008
【図７】
0003123658.tif 000009
【図８】
0003123658.tif 000010